(57)【要約】【課題】比較的重量が重く、大型のカバー部材であっても、小さな力で円滑に上方に回動でき、回動途中でカバー部材から手を離したとしてもカバー部材の急激な落下が生じない、構造が簡単で部品点数の削減にも寄与できる開閉式のレンジカバーを提供する。【解決手段】レンジカバー１は、レンジ５またはレンジ台３に固定されるベースステー１３と、回動軸１５を介して所定の角度、回動し得るカバー部材１７とを備え、回動軸１５に対してカバー部材１７を起立方向に付勢する付勢手段３１を設けた。また付勢手段３１の付勢力をカバー部材１７を上方に回動させる際に要する力を少なくし、回動途中でカバー部材１７を離した場合には、カバー部材１７の荷重と釣り合ってカバー部材１７の回動を停止させるように設定した。【選択図】        図２
2005345050.tif 000002
【特許請求の範囲】
【請求項１】
レンジまたはレンジ台に固定されるベースステーと、回動軸を介して所定の角度、回動し得るカバー部材とを備え、前記カバー部材を倒伏姿勢にするとレンジ上面を覆う載置台として使用でき、起立姿勢にすると油の飛散を防止する油飛散防止ガードとして使用できる開閉式のレンジカバーにおいて、前記回動軸には、カバー部材を起立方向に付勢する付勢手段が設けられていることを特徴とするレンジカバー。
【請求項２】
請求項１に記載したレンジカバーにおいて、前記付勢手段の付勢力は、カバー部材を上方に回動させる際に要する力を少なくすると共に、回動途中でカバー部材を離した場合には、カバー部材の荷重と釣り合ってカバー部材の回動を停止させるように設定されていることを特徴とするレンジカバー。
【請求項３】
請求項１または２に記載したレンジカバーにおいて、前記付勢手段は、捩りコイルバネによって構成されていることを特徴とするレンジカバー。
【請求項４】
請求項１〜３のいずれかに記載したレンジカバーにおいて、前記カバー部材の自由端側の隅部には、倒伏姿勢におけるカバー部材の水平状態を維持する脚部が設けられており、当該脚部の底面には、倒伏姿勢に至ったカバー部材の倒伏姿勢を維持する固定手段が設けられていることを特徴とするレンジカバー。
【請求項５】
請求項４に記載したレンジカバーにおいて、前記固定手段はマグネットであり、マグネットが磁力によってベースステーに吸着することによってカバー部材の倒伏姿勢を維持するようにしたことを特徴とするレンジカバー。
【発明の詳細な説明】
【技術分野】
【０００１】
本発明は、例えばシステムキッチン等に設けられるビルトイン（埋め込み）タイプのガスレンジ等に対して適用される載置台として使用され、またレンジ回りの汚れた部分を隠し、さらに油飛散防止ガードとしての機能を有する開閉式のレンジカバーに関するものである。
【背景技術】
【０００２】
スチール製のレンジカバーとしては、下記特許文献１に示すように、鍋等の台所用品の載置台として使用でき、さらに油の飛散を防止する遮蔽板としての機能を有する開閉式のレンジカバーが存在する。
【０００３】
また特許文献１に示すレンジカバーは、２つのコンロを備えた卓上式のガスレンジに適用することを想定した仕様となっている。これに伴い、ガードとして機能するカバー部材がコンロの数に対応して二枚設けられている。従って二枚設けられるカバー部材の各々は、比較的小さく、軽量となっている。これにより、カバー部材を上方に回動させるに際してそれほど大きな力を必要としないため、使用者はカバー部材を上方に回動させる動作に特に負担は感じていなかった。
【０００４】
またコンロが三つ以上設けられた卓上式のガスレンジやビルトイン（埋め込み）タイプのガスレンジとなると、カバー部材を三枚以上設けることは却って使い勝手を悪くする場合もあるため、すべてのコンロを覆う比較的大型で、重量の重い一枚のカバー部材によって構成されるカバー部材を使用する場合が多い。
しかしながら、カバー部材が大型化し、重くなると、以下のような問題が生ずる。最初に倒伏姿勢のカバー部材を上方に回動させる場合を考えると、カバー部材が重くなったことに伴って、カバー部材を上方に回動させるに際して大きな力が必要となり、使用者の負担を増大させることとなる。
【０００５】
また、カバー部材が大型化したことに伴い、カバー部材を回動させるに際して、カバー部材の幅方向に傾き（こじれ）を生じさせ、回動途中でカバー部材が動かなくなる場合も生じていた。
次に起立姿勢のカバー部材を下方に回動させる場合を考えると、カバー部材の起立姿勢を保持するロック機構を外し、カバー部材を垂直に少し持ち上げて固定部との係合状態を一旦解除した後でなければカバー部材を回動させることができず、操作が煩雑である。
【０００６】
またロック機構やカバー部材を固定部に係合させる構成等が別途必要であり、構造の複雑化、部品点数の増大を招いていた。
更にロック機構によるロックを外し、固定部との係合状態を解除した状態で回動途中のカバー部材から手を離した場合にはカバー部材の重量によりカバー部材は勢いよく下方に落下するため安全対策も万全とは言えない。
【特許文献１】特開２０００−６５３６２号公報
【発明の開示】
【発明が解決しようとする課題】
【０００７】
本発明は、上記従来の問題点を踏まえてなされたものであり、比較的重量が重く、大型のカバー部材であっても、小さな力で、円滑に上方に回動でき、回動途中でカバー部材から手を離したとしてもカバー部材の急激な落下が生じない、構造が簡単で、部品点数の削減にも寄与できる開閉式のカバー部材を提供することを課題とするものである。
【課題を解決するための手段】
【０００８】
上記課題を解決するために請求項１に記載の発明は、レンジまたはレンジ台に固定されるベースステーと、回動軸を介して所定の角度、回動し得るカバー部材とを備え、前記カバー部材を倒伏姿勢にするとレンジ上面を覆う載置台として使用でき、起立姿勢にすると油の飛散を防止する油飛散防止ガードとして使用できる開閉式のレンジカバーにおいて、前記回動軸には、カバー部材を起立方向に付勢する付勢手段が設けられていることを特徴とするレンジカバーである。
【０００９】
請求項２に記載の発明は、請求項１に記載したレンジカバーにおいて、前記付勢手段の付勢力は、カバー部材を上方に回動させる際に要する力を少なくすると共に、回動途中でカバー部材を離した場合には、カバー部材の荷重と釣り合ってカバー部材の回動を停止させるように設定されていることを特徴とするレンジカバーである。
【００１０】
請求項３に記載の発明は、請求項１または２に記載したレンジカバーにおいて、前記付勢手段は、捩りコイルバネによって構成されていることを特徴とするレンジカバーである。
【００１１】
請求項４に記載の発明は、請求項１〜３のいずれかに記載したレンジカバーにおいて、前記カバー部材の自由端側の隅部には、倒伏姿勢におけるカバー部材の水平状態を維持する脚部が設けられており、当該脚部の底面には、倒伏姿勢に至ったカバー部材の倒伏姿勢を維持する固定手段が設けられていることを特徴とするレンジカバーである。
【００１２】
請求項５に記載の発明は、請求項４に記載したレンジカバーにおいて、前記固定手段はマグネットであり、マグネットが磁力によってベースステーに吸着することによってカバー部材の倒伏姿勢を維持するようにしたことを特徴とするレンジカバーである。
【発明の効果】
【００１３】
本発明のレンジカバーによれば、付勢手段の付勢力がカバー部材を起立方向に付勢するように作用しているから、カバー部材を上方に回動させる際の力が極めて小さくて済み、回動に際してカバー部材をこじることもないから円滑にカバー部材を回動することができる。
またカバー部材の起立姿勢を保持するロック機構や固定部との係合構造が設けられていないから、煩雑な予備操作を行うことなく直ちにカバー部材を下方に回動させることが可能となり、部品点数及び製品コストの削減にも寄与し得る。
更に回動途中でカバー部材から手を離したとしても付勢手段の付勢力が作用してカバー部材の急激な落下が防止されているから安全性も向上している。
【発明を実施するための最良の形態】
【００１４】
以下、下記の実施例１により本発明に係るレンジカバーを実施するための最良の形態について説明する。
実施例１ではシステムキッチン等に設けられるレンジ台３に対して埋め込まれて設置される、いわゆるビルトインタイプのガスレンジ５を適用対象にとって説明する。また図示のガスレンジ５は一例として７５０ｍｍ幅のタイプである。
この種のガスレンジ５にあってはレンジ台３の上面に形成された開口部からガスレンジ５における複数の大小のコンロ７が臨んでおり、更にその上方に枠一体型の五徳９が載置されている。
【実施例１】
【００１５】
本発明の実施例１に係るレンジカバー１を説明する。
レンジカバー１は、レンジ台３の天板１１に固定されるベースステー１３と、回動軸１５を介してほぼ９０°の角度に亘って、回動自在に設けられるカバー部材１７とを備えている。
ベースステー１３は、ガスレンジ５の五徳９を挟むように、その左右に一本ずつ設けられており、一例として１.５ｍｍ厚程度のステンレス鋼板を断面Ｌ字状に折り曲げて形成される長杆状の部材である。ベースステー１３の前後の底面には一例として超軟質ウレタンゴムによって形成される４ｍｍ厚程度の矩形平板状の粘着シート２９が貼設されている。
【００１６】
またベースステー１３の上方に立ち上げられた側板の奥部側端部は更に上方に延長形成されており、回動軸１５の一方の軸端部を保持する軸受部１９となっている。
回動軸１５は、直径２２ｍｍ程度の円柱状の部材で、その両端には取付ビスが螺合し、あるいは小径の係合ピンが突出しており、回動軸１５の軸端部を構成している。
回動軸１５の他方の軸端部はカバー部材１７の基端部側に固定され、カバー部材１７と一体に回動する取付ブラケット２１によって軸支されている。
【００１７】
カバー部材１７は、ガスレンジ５のすべてのコンロ７及び五徳９をすっぽりと覆い隠すことのでる載置面２３と、その周縁を下方に９０°折り曲げて形成されている側周面２４とによって構成されており、一例として０.４ｍｍ厚程度のステンレス鋼板によって形成されている。
またカバー部材１７の自由端側の隅部には、カバー部材１７が倒伏姿勢にある時の水平状態を維持するための脚部２５が設けられている。脚部２５としては一例として合成樹脂材料や合成ゴム等が使用でき、脚部２５の底面には、カバー部材１７の倒伏姿勢を維持する固定手段としての矩形平板状のマグネット２７が設けられている。
【００１８】
カバー部材１７は、倒伏姿勢ではガスレンジ５の上面を覆うほぼ水平な載置台として使用でき、鍋等の台所用品を載置でき、起立姿勢では油の飛散を防止する油飛散防止ガードとして使用できるという二種類の機能を有している。
そして本発明の特徴的な構成として、前記回動軸１５には、カバー部材１７を起立方向に付勢する付勢手段としての捩りコイルバネ３１が設けられている。捩りコイルバネ３１は線径３.２ｍｍ程度のステンレス製バネ線材を適宜の巻数巻いたもので、その巻数を調節することによって、以下のような付勢力が得られるように設定されている。
【００１９】
即ち、捩りコイルバネ３１の付勢力は、カバー部材１７を上方に回動させる際に要する力を少なくすると共に、回動途中でカバー部材１７を離した場合には、カバー部材１７の荷重（２.５ｋｇ程度）と釣り合ってカバー部材１７が当該位置で停止するように設定されている。
また捩りコイルバネ３１は、中央のコイル部が回動軸１５に対して挿嵌され、一方の端部がベースステー１３側の軸受部１９に対して、他方の端部がカバー部材１７側の取付ブラケット２１に対してそれぞれ縮設状態で係止されている。
また取付ブラケット２１には回動軸１５及び捩りコイルバネ３１を被覆するバネカバー３３が取り付けられている。
【００２０】
次にこのようにして構成される本発明のレンジカバー１の作動態様を（１）カバー部材を下方に回動させる場合と、（２）カバー部材を上方に回動させる場合とに分けて説明する。
（１）カバー部材を下方に回動させる場合
本実施例ではロック機構や係合構造は一切設けられていないから、起立姿勢のカバー部材１７を手で持ってそのまま下方に回動させることが可能である。またこの時、途中でカバー部材１７から手を離したとしても、カバー部材１７はそのままの位置で停止するように構成されているから、下方に向けてカバー部材１７が急激に落下することはない。
またカバー部材１７が倒伏姿勢に達すると、脚部２５底面のマグネット２７がベースステー１３に磁力によって吸着するから、カバー部材１７の倒伏姿勢はそのまま維持される。
【００２１】
（２）カバー部材を上方に回動させる場合
カバー部材１７には常時、カバー部材１７を起立させる方向に付勢力が作用している。従って使用者がカバー部材１７を手で持って上方に回動させようとした時、捩りコイルバネ３１の付勢力が作用して極めて小さな力で容易にカバー部材１７を上方に回動させることが可能になる。
これに伴い、カバー部材１７の回動が円滑になるから、カバー部材１７のこじれ等も生じなくなり、片手で操作した場合でも簡単、確実にカバー部材１７を上方に回動させることが可能となる。
またカバー部材１７が起立姿勢に達した状態でも捩りコイルバネ３１の付勢力は作用しているから、別途ロック機構やベースステー１３との係合構造を設けなくてもカバー部材１７の起立姿勢は維持される。
【００２２】
以上、本発明を実施するための最良の形態、その具体的実施例について詳述してきたが、具体的な構成はこれらの形態や実施例に限られるものではなく、本発明の要旨を逸脱しない範囲における設計の変更などがあっても本発明に含まれる。
例えば、上記実施例では、ビルトインタイプのガスレンジ５に対して本発明のレンジカバー１を適用したが、本発明のレンジカバー１を卓上タイプのガスレンジ５や他の種類のレンジに適用することが可能である。
【００２３】
またガスレンジには７５０ｍｍ幅タイプの他、６００ｍｍ幅タイプ等、幅寸法の異なるものが存在するが、これに伴って本発明のレンジカバー１を予め幅寸法の異なる複数のタイプを用意しておき、適用するガスレンジ５の幅寸法に応じて適宜選択して使用したり、幅寸法を調節し得る機構を備えた構成とすることも可能である。
また付勢手段は捩りコイルバネ３１に限らず圧縮コイルスプリングであってもよいし、エアダンパやオイルダンパ等を使用しても構わない。
【００２４】
固定手段もマグネット２７に限らず、弾性部材と係合片を組み合わせた係合式の構造等、固定方式を異ならせた種々の構造が採用可能である。またベースステー１３とレンジ台３との固定は両面接着テープを使用してもよいし、ビス止め等締付手段を使用した構成であってもよい。
【図面の簡単な説明】
【００２５】
【図１】本発明に係るレンジカバーの使用状態を示す、レンジカバーが起立姿勢にある時の斜視図である。
【図２】本発明に係るレンジカバーの使用状態を示す、レンジカバーが回動途中で停止している時の斜視図である。
【図３】本発明に係るレンジカバーの使用状態を示す、レンジカバーが倒伏姿勢にある時の斜視図である。
【図４】本発明に係るレンジカバーを示す、レンジカバーが起立姿勢にある時の正面図である。
【図５】本発明に係るレンジカバーを示す、レンジカバーが起立姿勢にある時の平面図である。
【図６】本発明に係るレンジカバーを示す、レンジカバーが起立姿勢にある時の側面図である。
【図７】図４中、矢視Ａ部を拡大して示す正面図である。
【図８】固定手段周辺を拡大して示す斜視図である。
【図９】付勢手段周辺を拡大して示す分解斜視図である。
【符号の説明】
【００２６】
１  レンジカバー      ３  レンジ台      ５  ガスレンジ（レンジ）
７  コンロ      ９  五徳      １１  天板      １３  ベースステー
１５  回動軸      １７  カバー部材      １９  軸受部
２１  取付ブラケット      ２３  載置面      ２４  側周面
２５  脚部      ２７  マグネット（固定手段）      ２９  粘着シート
３１  捩りコイルバネ（付勢手段）      ３３  バネカバー
【図１】
2005345050.tif 000003
【図２】
2005345050.tif 000004
【図３】
2005345050.tif 000005
【図４】
2005345050.tif 000006
【図５】
2005345050.tif 000007
【図６】
2005345050.tif 000008
【図７】
2005345050.tif 000009
【図８】
2005345050.tif 000010
【図９】
2005345050.tif 000011